(57)【要約】【課題】読み取り生産性の低下を抑制しながら、原稿上の文書画像およびコード画像を読み取る。【解決手段】スキャナは、原稿送り装置１０および読み取り装置３０を備える。読み取り装置３０は、原稿上の可視画像(文書画像)を読み取るためのフルレートキャリッジ３３、ハーフレートキャリッジ３４、結像用レンズ３７、およびＣＣＤイメージセンサ３８等を備えており、フルレートキャリッジ３３には、原稿上の赤外画像(コード画像)を読み取るためのＣＩＳ４０が搭載される。例えば原稿の固定読み取りを行う際、フルレートキャリッジ３３およびハーフレートキャリッジ３４が移動することにより、ＣＣＤイメージセンサ３８にて原稿の所定面の可視画像が読み取られ、ＣＩＳ４０にて同一原稿且つ同一面の赤外画像が読み取られる。【選択図】図１
2007306047.tif 000002
【特許請求の範囲】
【請求項１】
原稿に形成された文書画像を読み取る第１読み取り部と、
前記第１読み取り部による前記文書画像の読み取りに際して、当該文書画像と同一面に形成されたコード画像を読み取る第２読み取り部と
を含む画像読み取り装置。
【請求項２】
前記第２読み取り部による前記コード画像の読み取り結果に基づいて、前記原稿に付与された固有の識別情報を取得する取得部をさらに含むことを特徴とする請求項１記載の画像読み取り装置。
【請求項３】
前記第１読み取り部は前記文書画像として可視画像を読み取り、
前記第２読み取り部は前記コード画像として不可視画像を読み取ることを特徴とする請求項１記載の画像読み取り装置。
【請求項４】
前記第１読み取り部は縮小光学系を用いて前記文書画像を読み取り、
前記第２読み取り部は密着光学系を用いて前記コード画像を読み取ることを特徴とする請求項１記載の画像読み取り装置。
【請求項５】
前記第１読み取り部は、可視光を照射する可視光源と当該可視光源にて照射された前記原稿からの反射光を受光する可視センサとを有し、
前記第２読み取り部は、赤外光を照射する赤外光源と当該赤外光源にて照射された前記原稿からの反射光を受光する赤外センサとを有すること
を特徴とする請求項１記載の画像読み取り装置。
【請求項６】
原稿に形成された第１画像を、密着光学系を用いて読み取る密着読み取り部と、
前記密着読み取り部による前記第１画像の読み取りに際して、当該第１画像と同一面に形成された第２画像を、縮小光学系を用いて読み取る縮小読み取り部と
を含む画像読み取り装置。
【請求項７】
前記密着読み取り部は前記第１画像としてコード画像を読み取り、
前記縮小読み取り部は前記第２画像として文書画像を読み取ることを特徴とする請求項６記載の画像読み取り装置。
【請求項８】
前記密着読み取り部は前記第１画像として不可視画像を読み取り、
前記縮小読み取り部は前記第２画像として可視画像を読み取ることを特徴とする請求項６記載の画像読み取り装置。
【請求項９】
前記密着読み取り部にて読み取られた前記第１画像のデータを２値化して処理を施す第１処理部と、
前記縮小読み取り部にて読み取られた前記第２画像のデータを２値化せずに処理を施す第２処理部と
をさらに含むことを特徴とする請求項６記載の画像読み取り装置。
【請求項１０】
原稿を載置する載置部と、
前記載置部に載置される原稿の特定領域の画像を読み取る二次元エリアセンサと、
前記載置部に載置される原稿を走査する走査部と、
前記走査部にて走査される原稿のスキャン全領域の画像を読み取る一次元ラインセンサと
を含む画像読み取り装置。
【請求項１１】
前記二次元エリアセンサはコード画像を読み取り、
前記一次元ラインセンサは文書画像を読み取ることを特徴とする請求項１０記載の画像読み取り装置。
【請求項１２】
前記二次元エリアセンサは不可視画像を読み取り、
前記一次元ラインセンサは可視画像を読み取ることを特徴とする請求項１０記載の画像読み取り装置。
【請求項１３】
前記二次元エリアセンサにて前記原稿の読み取りを行った後、前記一次元ラインセンサにて当該原稿の読み取りを行うことを特徴とする請求項１０記載の画像読み取り装置。
【発明の詳細な説明】
【技術分野】
【０００１】
本発明は、原稿の画像を読み取る画像読み取り装置に関する。
【背景技術】
【０００２】
複写機やファクシミリ等の読み取り装置、コンピュータ入力用のスキャナ等として、原稿の画像情報を自動的に読み取る画像読み取り装置が用いられている。この種の画像読み取り装置では、光源を用いて原稿に光を照射し、原稿から反射する反射光をイメージセンサにて受光することで、原稿の画像を読み取っている。
【０００３】
また、最近では、セキュリティー意識の高まりや電子化の流れを受けて、紙幣や有価証券等の特殊原稿を一般の原稿と区別化するために、特殊原稿上に例えば赤外線を吸収あるいは反射する画形材(インク、トナー等)を用いて、目視ではわかりにくい不可視像を形成しておく技術が採用され始めている。また、上記特殊原稿以外でも、例えば機密情報等を可視像にて形成する原稿に、さらに上記画形材を用いてＩＤ等のコード情報を埋め込んだ不可視像を形成しておく技術も検討されている。
【０００４】
このため、画像読み取り装置においても、可視画像(文書画像)の読み取りに加えてコード情報等を含む赤外画像(コード画像)の読み取りが要請されている。このような要請に対し、例えば反射光の光路中に赤外、赤、緑、および青のカラーフィルタを選択的に挿入できるように構成し、赤外画像の読み取り、赤画像の読み取り、緑画像の読み取り、そして青画像の読み取りを順次実行する技術が提案されている(例えば、特許文献１参照)。
【０００５】
【特許文献１】特開平６−２８４２８３号公報(第３−４頁、図５、図６)
【発明の開示】
【発明が解決しようとする課題】
【０００６】
しかしながら、上記特許文献１の画像読み取り装置では、原稿上の画像を読み取るために複数回(例えばカラー画像の場合には赤外、赤、緑、および青の４回)のスキャン動作を実行させる必要があり、その結果、読み取り生産性の低下を招いていた。
【０００７】
また、原稿の読み取り方式には、上記特許文献１のように固定配置される原稿の画像をキャリッジを移動させながら読み取る固定読み取り方式の他、キャリッジ等の読み取り光学系を固定するとともに原稿を搬送(移動)させて読み取る搬送読み取り方式も存在する。このような搬送読み取り方式を採用した画像読み取り装置では、原稿上の画像を読み取るために同じ原稿を複数回(例えばカラー画像の場合には赤外、赤、緑、および青の４回)読み取り位置に搬送することが必要になる。すると、この画像読み取り装置では、読み取り生産性の低下を招く他、原稿に与えるダメージが大きくなったり、あるいは原稿のジャム等が発生する危険性が高くなったりするという問題があった。
【０００８】
本発明は、かかる技術的課題を解決するためになされたものであって、その目的とするところは、読み取り生産性の低下を抑制しながら、例えば文書画像及びコード画像など原稿上の複数種の画像を読み取ることのできる画像読み取り装置を提供することにある。
【課題を解決するための手段】
【０００９】
かかる目的のもと、本発明が適用される画像読み取り装置は、原稿に形成された文書画像を読み取る第１読み取り部と、第１読み取り部による文書画像の読み取りに際して、文書画像と同一面に形成されたコード画像を読み取る第２読み取り部とを含んでいる。
【００１０】
ここで、第２読み取り部によるコード画像の読み取り結果に基づいて、原稿に付与された固有の識別情報を取得する取得部をさらに含むことができる。また、第１読み取り部は文書画像として可視画像を読み取り、第２読み取り部はコード画像として不可視画像を読み取ることができる。さらに、第１読み取り部は縮小光学系を用いて文書画像を読み取り、第２読み取り部は密着光学系を用いてコード画像を読み取ることができる。さらにまた、第１読み取り部は、可視光を照射する可視光源と可視光源にて照射された原稿からの反射光を受光する可視センサとを有し、第２読み取り部は、赤外光を照射する赤外光源と赤外光源にて照射された原稿からの反射光を受光する赤外センサとを有することを特徴とすることができる。
【００１１】
また、他の観点から捉えると、本発明は、原稿に形成された第１画像を、密着光学系を用いて読み取る密着読み取り部と、密着読み取り部による第１画像の読み取りに際して、第１画像と同一面に形成された第２画像を、縮小光学系を用いて読み取る縮小読み取り部とを含む画像読み取り装置として把握することもできる。
【００１２】
このような画像読み取り装置において、密着読み取り部は第１画像としてコード画像を読み取り、縮小読み取り部は第２画像として文書画像を読み取ることができる。また、密着読み取り部は第１画像として不可視画像を読み取り、縮小読み取り部は第２画像として可視画像を読み取ることができる。さらに、密着読み取り部にて読み取られた第１画像のデータを２値化して処理を施す第１処理部と、縮小読み取り部にて読み取られた第２画像のデータを２値化せずに処理を施す第２処理部とをさらに含むことを特徴とすることができる。
【００１３】
さらに、他の観点から捉えると、本発明は、原稿を載置する載置部と、載置部に載置される原稿の特定領域の画像を読み取る二次元エリアセンサと、載置部に載置される原稿を走査する走査部と、走査部にて走査される原稿のスキャン全領域の画像を読み取る一次元ラインセンサとを含む画像読み取り装置として把握することもできる。
【００１４】
このような画像読み取り装置において、二次元エリアセンサはコード画像を読み取り、一次元ラインセンサは文書画像を読み取ることができる。また、二次元エリアセンサは不可視画像を読み取り、一次元ラインセンサは可視画像を読み取ることができる。さらに、二次元エリアセンサにて原稿の読み取りを行った後、一次元ラインセンサにて原稿の読み取りを行うことができる。
【発明の効果】
【００１５】
本発明によれば、複数種類の読み取り部あるいはセンサを適宜組み合わせるようにしたので、読み取り生産性の低下を抑制しながら、原稿上の複数種の画像を読み取ることができる。
【発明を実施するための最良の形態】
【００１６】
以下、添付図面を参照して、本発明の実施の形態について詳細に説明する。
＜実施の形態１＞
図１は本実施の形態が適用されるスキャナ(画像読み取り装置)の構成例を示す図である。
このスキャナは、積載された原稿束から原稿を順次搬送するとともに原稿を固定するためのカバーの機能を備えた原稿送り装置１０と、スキャンによって画像を読み込む読み取り装置３０とを備えている。
【００１７】
原稿送り装置１０は、複数枚の原稿からなる原稿束を積載する原稿トレイ１１、この原稿トレイ１１の下方に設けられ、読み取りが終了した原稿を積載する排紙トレイ１２を備える。また、原稿送り装置１０は原稿トレイ１１上の原稿を取り出して搬送するナジャーロール１３を備える。さらに、ナジャーロール１３の原稿搬送方向下流側には、フィードロールおよびリタードロールによって用紙を一枚ずつに捌く捌き機構１４が設けられる。原稿が搬送される第１搬送路２１には、原稿搬送方向上流側から順に、プレレジロール１５、レジロール１６、第１プラテンロール１７ａ、第２プラテンロール１７ｂ、およびアウトロール１８が設けられる。プレレジロール１５は、一枚ずつに捌かれた原稿を下流側のロールに向けて搬送すると共に原稿のループ形成を行う。レジロール１６は、一旦停止した後にタイミングを合わせて回転を再開し、画像の読み取り領域に対してレジストレーション調整を施しながら原稿を供給する。第１プラテンロール１７ａおよび第２プラテンロール１７ｂは、読み取り装置３０にて読み込み中の原稿搬送をアシストする。アウトロール１８は、読み取り装置３０にて読み込まれた原稿をさらに下流に搬送する。
また、アウトロール１８よりも原稿搬送方向下流側には、原稿を排紙トレイ１２に導くための第２搬送路２２が設けられる。この第２搬送路２２には、排出ロール１９が配設される。
【００１８】
さらに、このスキャナでは、原稿の両面に形成された画像を１プロセスで読み取ることができるよう、アウトロール１８の出口側とプレレジロール１５の入口側との間に第３搬送路２３が設けられている。なお、上述した排出ロール１９は、原稿を第３搬送路２３に反転搬送する機能も有している。
さらにまた、このスキャナには、原稿の両面読み取りを行った際に、その排出時に原稿をさらに再度反転させて排紙トレイ１２に排出するための第４搬送路２４が設けられている。この第４搬送路２４は、第２搬送路２２の上部側に設けられている。そして、上述した排出ロール１９は、原稿を第４搬送路２４に反転搬送する機能も有している。
【００１９】
一方、第１読み取り部あるいは縮小読み取り部として機能する読み取り装置３０は、上述した原稿送り装置１０を開閉可能に支持すると共に、この原稿送り装置１０を装置フレーム３１によって支え、また、原稿送り装置１０によって搬送される原稿の画像読み取りを行う。この読み取り装置３０は、筐体を形成する装置フレーム３１、画像を読み込むべき原稿を静止させた状態で載置する第１プラテンガラス３２Ａ、原稿送り装置１０によって搬送される原稿を読み取るための光の開口部を有する第２プラテンガラス３２Ｂを備えている。
【００２０】
また、読み取り装置３０は、第２プラテンガラス３２Ｂの下に静止し、あるいは第１プラテンガラス３２Ａの全体にわたってスキャンして画像を読み込むフルレートキャリッジ３３、フルレートキャリッジ３３から得られた光を結像部へ供給するハーフレートキャリッジ３４を備えている。フルレートキャリッジ３３には、原稿に光を照射する照明ランプ３５、および原稿から得られた反射光(可視光)を受光する第１ミラー３６Ａが設けられている。また、フルレートキャリッジ３３には、ＣＩＳ(Contact Image Sensor)４０が装着されている。なお、ＣＩＳ４０の詳細については後述する。さらに、ハーフレートキャリッジ３４には、第１ミラー３６Ａから得られた光を結像部へ提供する第２ミラー３６Ｂおよび第３ミラー３６Ｃが設けられている。ここで、可視光源として機能する照明ランプ３５としては、少なくとも可視領域(４００ｎｍ〜８００ｎｍ)の発光波長を有する所謂白色光源(例えばハロゲンランプ)が使用される。さらにまた、読み取り装置３０は、結像用レンズ３７およびＣＣＤ(Charge Coupled Device)イメージセンサ３８を備えている。これらのうち、結像用レンズ３７は、第３ミラー３６Ｃから得られた光学像を光学的に縮小する。また、可視センサとして機能するＣＣＤイメージセンサ３８は、結像用レンズ３７によって結像された光学像を光電変換する。つまり、読み取り装置３０では、所謂縮小光学系を用いてＣＣＤイメージセンサ３８に像を結像させている。
【００２１】
そして、読み取り装置３０は、制御・画像処理ユニット５０をさらに備える。制御・画像処理ユニット５０は、ＣＣＤイメージセンサ３８やＣＩＳ４０から入力される画像データに所定の処理を施す。また、制御・画像処理ユニット５０は、原稿送り装置１０および読み取り装置３０の各部の動作を制御する。
【００２２】
図２は、読み取り装置３０に設けられるＣＣＤイメージセンサ３８の概略構成を示す図である。このＣＣＤイメージセンサ３８は、基板３８ａと、原稿の搬送方向と直交する方向に並列に伸びる三本のラインセンサ３８Ｂ、３８Ｇ、３８Ｒを備える。各ラインセンサ３８Ｂ、３８Ｇ、３８Ｒは、例えば１０μｍ×１０μｍのフォトダイオードＰＤをｎ個直線上に並べた構成となっており、各ラインセンサ３８Ｂ、３８Ｇ、３８Ｒの間隔は４ラインとなっている。
そして、各ラインセンサ３８Ｂ、３８Ｇ、３８Ｒには、それぞれに異なる波長成分を透過するためのカラーフィルタが装着されており、それぞれ、青(Blue)用ラインセンサ、緑(Green)用ラインセンサ、赤(Red)用ラインセンサとして機能している。また、緑用ラインセンサ３８Ｇは、モノクロ読み取り時には白黒(Black-White)用のラインセンサとしても機能する。
【００２３】
本実施の形態では、フルレートキャリッジ３３(照明ランプ３５および第１ミラー３６Ａ)、ハーフレートキャリッジ３４(第２ミラー３６Ｂおよび第３ミラー３６Ｃ)、結像用レンズ３７、およびＣＣＤイメージセンサ３８によって、原稿に形成された可視画像(文書画像、第１画像)を読み取ることができる。このようにしてＣＣＤイメージセンサ３８が読み取った可視画像のデータ(可視画像データ)は、制御・画像処理ユニット５０に出力される。
【００２４】
図３は、フルレートキャリッジ３３に設けられる第２読み取り部あるいは縮小読み取り部としてのＣＩＳ４０の概略構成を示す図である。このＣＩＳ４０は、ハウジング４１、ガラス４２、赤外ＬＥＤ(Light Emitting Diode)アレイ４３、ロッドレンズアレイ４４、およびラインセンサ４５を備えている。これらのうち、ガラス４２は、ハウジング４１の第１搬送路２１側に形成された開口に装着される。ここで、ハウジング４１の照明ランプ３５(図１参照)側の側部には、照明ランプ３５の照射光を原稿面に向けて反射するリフレクタ４１Ａが形成されており、フルレートキャリッジ３３の小型化に寄与している。また、赤外光源として機能する赤外ＬＥＤアレイ４３は、ガラス４２を介して第１搬送路２１を搬送される原稿に赤外光(本実施の形態では８５０ｎｍ近傍の光)を照射する。ロッドレンズアレイ４４は、赤外ＬＥＤアレイ４３からの照射光の反射光を集光する。赤外センサとして機能するラインセンサ４５は、ロッドレンズアレイ４４により集光された光を光電変換する。ここで、ラインセンサ４５としては、ＣＣＤやＣＭＯＳ(Complementary Metal Oxide Semiconductor)センサ等の一次元ラインセンサを用いることができ、実寸幅(例えばＡ４長手幅２９７ｍｍ)の画像を読み取ることが可能である。つまり、ＣＩＳ４０では、縮小光学系ではなくロッドレンズアレイ４４およびラインセンサ４５を用いた密着光学系にて画像の取り込みを行う。これにより、構造をシンプルにすることができ、且つ、筐体を小型化し、消費電力を低減することができる。
【００２５】
本実施の形態では、フルレートキャリッジ３３に搭載されるＣＩＳ４０(赤外ＬＥＤアレイ４３、ロッドレンズアレイ４４、およびラインセンサ４５)によって、原稿に形成された赤外画像(コード画像、不可視画像、第２画像)を読み取ることができる。このとき、上記ＣＣＤイメージセンサ３８およびラインセンサ４５は、原稿の同一面に形成された画像を読み取る。このようにしてラインセンサ４５が読み取った赤外画像のデータ(赤外画像データ)は、制御・画像処理ユニット５０に出力される。
【００２６】
図４は、制御・画像処理ユニット５０の機能ブロック図を示している。この制御・画像処理ユニット５０は、ＣＣＤイメージセンサ３８から入力される可視画像データおよびラインセンサ４５から入力される赤外画像データに処理を施す信号処理部５１と、原稿送り装置１０および読み取り装置３０の動作を制御する制御部５２とを備えている。信号処理部５１は、原稿の一方の面を読み取るＣＣＤイメージセンサ３８およびこのＣＣＤイメージセンサ３８と同一の面を読み取るラインセンサ４５からの各々の出力に対して所定の画像処理を施す機能を有している。
【００２７】
信号処理部５１は、画像信号に対してシェーディング補正等の各種処理を施す画像処理部を２系統備えている。具体的には、ＣＣＤイメージセンサ３８によって得られた可視画像データに対して画像処理を施す可視画像処理部７０と、ラインセンサ４５によって得られた赤外画像データに対して画像処理を施す赤外画像処理部８０とを備える。これら可視画像処理部７０や赤外画像処理部８０からの出力は、例えばプリンタ等や、パーソナルコンピュータ(ＰＣ)等のホストシステムへ出力される。
【００２８】
一方、制御部５２は、読み取りコントローラ６１、ＣＣＤ/ＣＩＳコントローラ６２、照明コントローラ６３、スキャンコントローラ６４、および搬送機構コントローラ６５を備える。これらのうち、読み取りコントローラ６１は、原稿送り装置１０および読み取り装置３０の全体を制御する。ＣＣＤ/ＣＩＳコントローラ６２はＣＣＤイメージセンサ３８およびＣＩＳ４０(ラインセンサ４５)による画像データの取り込み動作を制御する。照明コントローラ６３は、読み取りタイミングに合わせて白色光源からなる照明ランプ３５や赤外ＬＥＤアレイ４３における赤外ＬＥＤの点灯・消灯を制御する。スキャンコントローラ６４は、読み取り装置３０におけるモータのオン/オフなどを行いフルレートキャリッジ３３およびハーフレートキャリッジ３４によるスキャン動作を制御する。搬送機構コントローラ６５は、原稿送り装置１０におけるモータの制御、各種ロールの動作やフィードクラッチの動作、ゲートの切り替え動作等を制御する。これらの各種コントローラからは、原稿送り装置１０および読み取り装置３０に対して制御信号が出力され、かかる制御信号に基づいて、これらの動作制御が可能となる。読み取りコントローラ６１は、ホストシステムからの制御信号や、例えば自動選択読み取り機能に際して検出されるセンサ出力、ＵＩ(User Interface)を介したユーザからの選択等に基づいて読み取りモードを設定し、原稿送り装置１０および読み取り装置３０を制御している。ここで、設定され得る読み取りモードとしては、第１プラテンガラス３２Ａ上に載置された原稿の画像を読み取る固定読み取りモード、原稿送り装置１０にて搬送される原稿の画像を順次読み取る搬送読み取りモード等が挙げられる。また、搬送読み取りモードにおいては、原稿の片面に形成された画像を読み取る片面モード、反転パスを用いて原稿の両面に形成された画像を順次読み取る両面モード等が実行され得る。
【００２９】
図５(ａ)は可視画像処理部７０の機能ブロックを示している。可視画像処理部７０は、アナログ処理部(Analog Front End:ＡＦＥ)７１、Ａ/Ｄ変換部(Analog Digital Converter:ＡＤＣ)７２、可視シェーディング補正部７３、および画像処理部７４を備える。
ＡＦＥ７１は、ＣＣＤイメージセンサ３８による可視画像データに対してゲイン・オフセット調整等のアナログ補正を施す。
ＡＤＣ７２は、アナログ補正が施された可視画像データをデジタルデータに変換する。
可視シェーディング補正部７３は、入力されてくる可視画像データに可視シェーディング補正を施す。可視シェーディング補正では、入力されてくる可視画像データに対し、対応する青用ラインセンサ３８Ｂ、緑用ラインセンサ３８Ｇ、および赤用ラインセンサ３８Ｒそれぞれにおける各フォトダイオードＰＤの感度のばらつきや照明ランプ３５の光量分布特性に応じた補正を施す。
画像処理部７４は、入力されてくる可視画像データに対して各種画像処理を施し、文書画像データとして出力する。この画像処理部７４で施される処理としては、例えばγ/グレイバランス補正、色空間変換、拡大縮小、フィルタリング処理、コントラスト調整、さらには地肌除去等が挙げられる。
【００３０】
一方、図５(ｂ)は赤外画像処理部８０の機能ブロックを示している。赤外画像処理部８０は、ＡＦＥ８１、ＡＤＣ８２、赤外シェーディング補正部８３、２値化処理部８４、および識別情報解析部８５を備える。
ＡＦＥ８１は、ラインセンサ４５による赤外画像データに対してゲイン・オフセット調整等のアナログ補正を施す。
ＡＤＣ８２は、アナログ補正が施された赤外画像データをデジタルデータに変換する。
赤外シェーディング補正部８３は、入力されてくる赤外画像データに赤外シェーディング補正を施す。赤外シェーディング補正では、入力されてくる赤外画像データに対し、ラインセンサ４５における各フォトダイオードＰＤの感度のばらつきや赤外ＬＥＤアレイを構成する各赤外ＬＥＤの光量分布特性に応じた補正を施す。
２値化処理部８４は、シェーディング補正がなされた赤外画像データを２値化(０または１)して出力する。
取得部として機能する識別情報解析部８５は、２値化された赤外画像データに含まれるコード画像から識別情報を解析し、得られた識別情報を出力する。
それゆえ、本実施の形態では、赤外画像処理部８０が第１処理部として機能し、可視画像処理部７０が第２処理部として機能していることになる。
【００３１】
次に、このスキャナで読み取られる原稿の画像について詳細に説明する。このスキャナでは、例えばイエロー、マゼンタ、シアン、および黒等の通常色にて形成された一般的な可視画像のみを有する原稿に加え、可視画像および上述した識別情報を含むコード画像にて形成された不可視画像(本実施の形態では赤外画像)を有する原稿も読み取ることができる。ここで、「可視」および「不可視」は、目視により認識できるかどうかとは関係しない。すなわち媒体(用紙)に印刷(形成)された画像が、可視光領域における特定の波長の吸収に起因する発色性の有無により認識できるかどうかで、「可視」と「不可視」とを区別しているのである。
【００３２】
図６(ａ)〜(ｃ)は、不可視画像を構成する二次元コード画像を説明するための図である。図６(ａ)は、不可視画像によって形成され、配置される二次元コード画像の単位を模式的に示すために格子状に表現した図である。また、図６(ｂ)は二次元コード画像の一単位を示した図である。さらに、図６(ｃ)は、バックスラッシュ「＼」とスラッシュ「／」の斜線パターンを説明するための図である。
【００３３】
これら図６(ａ)〜(ｃ)に示す二次元コード画像は、赤外線照射による機械読み取りと復号化処理とが長期にわたって安定して可能で、且つ、情報が高密度に記録できる不可視画像で形成される。また、画像を出力する媒体表面の可視画像が形成された領域とは関係なく、任意の領域に設けることが可能な不可視画像であることが好ましい。本実施の形態では、印刷される媒体の大きさに合わせて媒体一面(紙面)の全面に不可視画像が形成される。また、目視した際に光沢差によって認識できる不可視画像であることが更に好ましい。ただし、「全面」とは、用紙の四隅をすべて含む意味ではない。レーザプリンタ等の電子写真方式の装置では、通常、紙面の端部は印刷できない部位である場合が多いことから、かかる部位には不可視画像を印刷する必要はない。なお、本実施の形態では、この二次元コード画像が、８５０ｎｍ近傍の波長に吸収のピークを有する材料にて構成されているものとする。
【００３４】
図６(ｂ)に示す二次元コードパターンは、媒体上の座標位置を示す位置コードが格納される領域と、電子文書または印刷媒体を一意に特定するための識別コードが格納される領域とを含んでいる。また、同期コードが格納される領域も含んでいる。そして、図６(ａ)に示すように、この二次元コードパターンが複数、配置され、印刷される媒体の大きさに合わせて媒体一面(紙面)の全面に異なる位置情報が格納された二次元コードが格子状に配置される。すなわち、媒体一面に、図６(ｂ)に示すような二次元コードパターンが複数個、配置され、その各々が、位置コード、識別コード、および同期コードを備えている。そして、複数の位置コードの領域には、それぞれ配置される場所により異なる位置情報が格納されている。一方、複数の識別コードの領域には、配置される場所によらず同じ識別情報が格納されている。
【００３５】
図６(ｂ)において、位置コードは、６ビット×６ビットの矩形領域内に配置されている。各ビット値は、回転角度が異なる複数の微小ラインビットマップで形成され、図６(ｃ)に示す斜線パターン(パターン０およびパターン１)で、ビット値０とビット値１とを表現している。より具体的には、相互に異なる傾きを有するバックスラッシュ「＼」およびスラッシュ「／」を用いて、ビット値０とビット値１とを表現している。斜線パターンは６００ｄｐｉ(dot per inch)において８画素×８画素の大きさで構成されており、左上がりの斜線パターン(パターン０)がビット値０を、右上がりの斜線パターン(パターン１)がビット値１を表現する。したがって、一つの斜線パターンで１ビット(０または１)を表現できる。このような二種類の傾きからなる微小ラインビットマップを用いることで、可視画像に与えるノイズがきわめて小さく、且つ、大量の情報を高密度にデジタル化して埋め込むことが可能な二次元コードパターンを提供することが可能となる。
【００３６】
すなわち、図６(ｂ)に示した位置コード領域には合計３６ビットの位置情報が格納されている。この３６ビットのうち、１８ビットをＸ座標の符号化に、他の１８ビットをＹ座標の符号化に使用することができる。各１８ビットをすべて位置の符号化に使用すると、２18通り(約２６万通り)の位置を符号化できる。各斜線パターンが図６(ｃ)に示したように８画素×８画素(６００ｄｐｉ)で構成されている場合、６００ｄｐｉの１ドットは０.０４２３ｍｍであることから、図６(ｂ)に示す二次元コード(同期コードを含む)の大きさは、縦横ともに３ｍｍ程度(８画素×９ビット×０.０４２３ｍｍ)となる。３ｍｍ間隔で２６万通りの位置を符号化した場合、約７８６ｍの長さを符号化できる。このように１８ビットすべてを位置の符号化に使用してもよいし、あるいは、斜線パターンの検出誤りが発生するような場合には誤り検出や誤り訂正のための冗長ビットを含めてもよい。
【００３７】
また、識別コードは、２ビット×８ビットおよび６ビット×２ビットの矩形領域に配置されており、合計２８ビットの識別情報を格納できる。識別情報として２８ビットすべてを使用した場合、２28通り(約２億７千万通り)の識別情報を表現できる。識別コードも位置コードと同様に、２８ビットの中に誤り検出や誤り訂正のための冗長ビットを含めることができる。
【００３８】
なお、図６(ｃ)に示す例では、二つの斜線パターンは互いに角度が９０°異なるが、例えば角度差を４５°とすれば四種類の斜線パターンを構成できる。このように構成した場合は、一つの斜線パターンで２ビットの情報(０〜３)を表現できる。すなわち、斜線パターンの角度種類を増やすことで、表現できるビット数を増加させることができる。
また、図６(ｃ)に示す例では、斜線パターンを使用してビット値の符号化を説明しているが、選択できるパターンは斜線パターンに限られない。例えばドットのＯＮ/ＯＦＦや、ドットの位置を基準位置からずらす方向により符号化する方法も採用することが可能である。
【００３９】
では、本実施の形態にかかるスキャナを用いた原稿の読み取り動作について説明する。このスキャナでは、上述したように、第１プラテンガラス３２Ａに載置された原稿の読み取り(固定読み取りモード)、および、原稿送り装置１０にて搬送される原稿の読み取り(搬送読み取りモード)が実行可能である。
【００４０】
まず、固定読み取りモードについて説明する。
第１プラテンガラス３２Ａに載置された原稿の画像を読み取る場合には、フルレートキャリッジ３３とハーフレートキャリッジ３４とが、２：１の割合でスキャン方向(図１に示す矢印方向)に移動する。
このとき、フルレートキャリッジ３３に設けられた照明ランプ３５の光(白色光)が原稿の被読み取り面に照射される。そして、原稿からの反射光(可視光)が第１ミラー３６Ａ、第２ミラー３６Ｂ、および第３ミラー３６Ｃの順に反射されて結像用レンズ３７に導かれる。結像用レンズ３７に導かれた光は、ＣＣＤイメージセンサ３８の受光面に結像される。ＣＣＤイメージセンサ３８は上述したように一次元ラインセンサを三本(青用ラインセンサ３８Ｒ、緑用ラインセンサ３８Ｇ、赤用ラインセンサ３８Ｒ)備えており、それぞれが１ライン分を同時に処理して制御・画像処理ユニット５０に出力する。
また、このとき、フルレートキャリッジ３３に搭載されたＣＩＳ４０の赤外ＬＥＤアレイ４３からの光(赤外光)も原稿の被読み取り面に照射される。そして、原稿からの反射光(赤外光)がガラス４２を介してロッドレンズアレイ４４に導かれる。ロッドレンズアレイ４４に導かれた光は、ラインセンサ４５の受光面に結像される。ラインセンサ４５は上述したように一次元ラインセンサからなり、１ライン分を同時に処理して制御・画像処理ユニット５０に出力する。
そして、このライン方向(スキャンの副走査方向)にフルレートキャリッジ３３およびハーフレートキャリッジ３４を移動させ、ＣＤＤイメージセンサ３８およびラインセンサ４５にて原稿の次のラインを読み取る。これを原稿全体に亘って実行することで、１ページの原稿読み取りすなわちＣＣＤイメージセンサ３８による可視画像の読み取りおよびラインセンサ４５による赤外画像の読み取りが完了する。
【００４１】
次に、搬送読み取りモードについて説明する。
原稿送り装置１０にて搬送される原稿の画像を読み取る際には、搬送される原稿が、第２プラテンガラス３２Ｂの上を通過する。このとき、フルレートキャリッジ３３およびハーフレートキャリッジ３４は、図１に示す実線の位置に停止した状態におかれる。この状態で、フルレートキャリッジ３３に搭載された照明ランプ３５およびフルレートキャリッジ３３に搭載されたＣＩＳ４０に設けられた赤外ＬＥＤアレイ４３が点灯する。そして、原稿送り装置１０の第１プラテンロール１７ａを経た１ライン目の反射光(赤外光)が、ＣＩＳ４０のガラス４２を経てロッドレンズアレイ４４にて結像され、ラインセンサ４５によって赤外画像が読み込まれる。次いで、原稿送り装置１０の第２プラテンロール１７ｂを経た原稿の１ライン目の反射光が、第１ミラー３６Ａ、第２ミラー３６Ｂ、および第３ミラー３６Ｃを経て結像用レンズ３７にて結像され、ＣＣＤイメージセンサ３８によって可視画像が読み込まれる。
【００４２】
次に、ラインセンサ４５およびＣＣＤイメージセンサ３８にて主走査方向の１ライン分を同時に処理した後、原稿送り装置１０によって搬送される原稿の次の主走査方向の１ラインが、ラインセンサ４５およびＣＣＤイメージセンサ３８によって読み込まれる。そして、原稿の先端が第２プラテンガラス３２Ｂ上の各読み取り位置に到達した後、この原稿の後端が第２プラテンガラス３２Ｂ上の各読み取り位置を通過することによって、副走査方向に亘って１ページの原稿読み取りすなわちラインセンサ４５による赤外画像の読み取りおよびＣＣＤイメージセンサ３８による可視画像の読み取りが完了する。
【００４３】
また、原稿の両面に形成された画像を読み取る際には、表面側の読み取りを完了した原稿の後端が第２搬送路２２に設けられた排出ロール１９を通過する直前に、排出ロール１９の駆動方向が逆方向に切り替えられる。このとき、図示しないゲートの向きが切り替えられることにより、原稿は第３搬送路２３に導かれる。このとき、原稿の後端側が今度は先端側になる。そして、原稿は表裏が反転された状態で再び第２プラテンガラス３２Ｂの上を通過し、上述したプロセスと同様にして裏面側の読み取りすなわちラインセンサ４５による赤外画像の読み取りおよびＣＣＤイメージセンサ３８による可視画像の読み取りが行われる。そして、裏面側の読み取りを完了した原稿の後端が第２搬送路２２に設けられた排出ロール１９を通過する直前に、排出ロール１９の駆動方向が再び逆方向に切り替えられる。このとき、図示しないゲートの向きが切り替えられることにより、原稿は第４搬送路２４へと導かれる。このとき、原稿の先後端が再び入れ替わり、原稿は原稿トレイ１１上に置かれていたときとは表裏が反転した状態で排紙トレイ１２上に排出される。このようにすることで、複数枚の原稿束の並び順を、原稿トレイ１１上に置かれていたときと排紙トレイ１２上に排出されたときとで、同じにすることができる。
【００４４】
これら固定読み取りモードおよび搬送読み取りモードにおいて取得された赤外画像データおよび可視画像データには、次のような処理がなされる。
まず、ＣＣＤイメージセンサ３８によって取得された可視画像データは、可視画像処理部７０に入力される。可視画像処理部７０に入力された可視画像データは、ＡＦＥ７１によってアナログ処理が施された後、ＡＤＣ７２によってデジタルデータに変換される。そして、デジタルデータに変換された可視画像データは、可視シェーディング補正部７３にて可視シェーディング補正が施された後、画像処理部７４で所定の画像処理が施され、文書画像データとして出力される。なお、本実施の形態において、画像処理部７４は、可視画像データを多値(例えば８ビット：２５６階調)のデータとして処理し、文書画像データとして出力している。
【００４５】
一方、ラインセンサ４５によって取得された赤外画像データは、赤外画像処理部８０に入力される。赤外画像処理部８０に入力された赤外画像データは、ＡＦＥ８１によってアナログ処理が施された後、ＡＤＣ８２によってデジタルデータに変換される。そして、デジタルデータに変換された赤外画像データは、赤外シェーディング補正部８３にて赤外シェーディング補正が施された後、２値化処理部８４で２値(１ビット：２階調)のデジタルデータに変換される。２値のデジタルデータに変換された赤外画像データは、識別情報解析部８５で解析が行われ、得られた識別情報が出力される。ここで、赤外画像データを２値化しているのは、コード画像自体がそもそも２値の画像であり、コード画像に含まれる識別情報の解析を行うためには２値のデジタルデータの方が有利だからである。
【００４６】
また、本実施の形態では、ＣＣＤイメージセンサ３８にて読み取りが行われる可視画像の読み取り解像度が例えば６００ｓｐｉ(sample per inch)に設定され、ラインセンサ４５にて読み取りが行われる赤外画像の読み取り解像度が例えば３００ｓｐｉに設定される。ここで、可視画像の読み取り解像度はある程度高いレベルであることが望ましいが、赤外画像の読み取り解像度は上記二次元コード画像の解析を行うために必要なレベルであればよい。したがって、本実施の形態では、赤外画像の読み取り解像度を可視画像の読み取り解像度よりも低く設定している。これにより、ＣＩＳ４０のコストも低く抑えることができる。
【００４７】
以上説明したように、本実施の形態では、原稿に形成される文書画像(可視画像)を読み取るための読み取り装置３０と、同じ原稿に形成されるコード画像(不可視画像、赤外画像)を読み取るためのＣＩＳ４０とを設け、これら読み取り装置３０およびＣＩＳ４０を用いて、原稿の同一面を読み取るように構成した。これにより、読み取り生産性の低下を抑制しながら、原稿に形成された文書画像及びコード画像を１プロセスで読み取ることが可能になる。
特に、本実施の形態では、フルレートキャリッジ３３にＣＩＳ４０を搭載し、このフルレートキャリッジ３３を第１プラテンガラス３２Ａの直下および第２プラテンガラス３２Ｂの直下に移動できるように構成した。これにより、このスキャナで固定読み取りモードを実行する場合や搬送読み取りモードを実行する場合においても、１プロセスで文書画像及びコード画像を読み取ることができる。
【００４８】
また、本実施の形態では、ＣＩＳ４０(ラインセンサ４５)による赤外画像の読み取り結果に基づき、識別情報解析部８５にて識別情報の解析を行うようにした。これにより、赤外画像データに含まれる識別情報を取得することが可能になり、例えば複写禁止の識別情報が取得された場合には、文書画像データの出力を禁止するなどの措置を講じることができるようになる。
【００４９】
さらに、本実施の形態では、文書画像(可視画像)は縮小光学系を用いて読み取りを行い、コード画像(不可視画像、赤外画像)は密着光学系を用いて読み取りを行うようにした。これにより、文書画像については焦点深度を深くすることが可能になり、可視画像データにおけるピンぼけ等を防止することができる。また、コード画像についてはＣＩＳ４０にて読み取りを行うことで、装置の小型化及びコストダウンを図ることができる。
【００５０】
さらにまた、本実施の形態では、ＣＣＤイメージセンサ３８で読み取りが行われた可視画像データは多値のまま画像処理を実行し、ラインセンサ４５で読み取りが行われた赤外画像データは２値化した後に識別情報解析処理を実行するようにした。これにより、可視画像データに基づいて高画質な文書画像データを出力できるとともに、赤外画像データに基づく識別情報の解析を容易にすることができる。
【００５１】
そして、本実施の形態では、文書画像(可視画像)を読み取るための光学系とコード画像(不可視画像、赤外画像)を読み取るための光学系とを完全に分離し、それぞれ別個で読み取りを行うようにした。すなわち、センサ(ＣＣＤイメージセンサ３８やラインセンサ４５)だけでなく、照明系(照明ランプ３５や赤外ＬＥＤアレイ４３)等も別々のものを用いた。これにより、例えば文書画像を読み取るための光学系のみを備えたスキャナに、容易にコード画像を読み取るための光学系を追加装着することが可能になる。また、一方の照明が他方の読み取りに与える影響を低減することもできる。
【００５２】
＜実施の形態２＞
図７は、本実施の形態が適用されるスキャナの構成例を示す図である。このスキャナの基本構成は、実施の形態１で説明したものとほぼ同様であるが、実施の形態１ではフルレートキャリッジ３３にＣＩＳ４０を搭載していたのに対し、本実施の形態ではハーフレートキャリッジ３４にＣＩＳ４０を搭載するようにしたものである。また、フルレートキャリッジ３３には、照明ランプ３５からの照射光を第２プラテンガラス３２Ｂ側に向けて反射するリフレクタ３９が設けられている。なお、本実施の形態において、実施の形態１と同様のものについては、同じ符号を付してその詳細な説明を省略する。
【００５３】
では、本実施の形態にかかるスキャナを用いた原稿の読み取り動作について説明する。このスキャナでは、実施の形態１と同様、第１プラテンガラス３２Ａに載置された原稿の読み取り(固定読み取りモード)、および、原稿送り装置１０にて搬送される原稿の読み取り(搬送読み取りモード)が実行可能である。
【００５４】
まず、固定読み取りモードについて説明する。
第１プラテンガラス３２Ａに載置された原稿の画像を読み取る場合には、フルレートキャリッジ３３とハーフレートキャリッジ３４とが、２：１の割合でスキャン方向(矢印方向)に移動する。
このとき、フルレートキャリッジ３３に設けられた照明ランプ３５の光(白色光)が原稿の被読み取り面に照射される。そして、原稿からの反射光(可視光)が第１ミラー３６Ａ、第２ミラー３６Ｂ、および第３ミラー３６Ｃの順に反射されて結像用レンズ３７に導かれる。結像用レンズ３７に導かれた光は、ＣＣＤイメージセンサ３８の受光面に結像される。ＣＣＤイメージセンサ３８は上述したように一次元ラインセンサを三本を備えており、それぞれが１ライン分を同時に処理して制御・画像処理ユニット５０に出力する。
このとき、ハーフレートキャリッジ３４に搭載されたＣＩＳ４０の赤外ＬＥＤアレイ４３からの光(赤外光)も原稿の被読み取り面に照射される。そして、原稿からの反射光(赤外光)がガラス４２を介してロッドレンズアレイ４４に導かれる。ロッドレンズアレイ４４に導かれた光は、ラインセンサ４５の受光面に結像される。ラインセンサ４５は上述したように一次元ラインセンサからなり、１ライン分を同時に処理して制御・画像処理ユニット５０に出力する。
そして、このライン方向(スキャンの副走査方向)にフルレートキャリッジ３３およびハーフレートキャリッジ３４を移動させ、ＣＤＤイメージセンサ３８およびラインセンサ４５にて原稿の次のラインを読み取る。これを原稿全体に亘って実行することで、１ページの原稿読み取りすなわちＣＣＤイメージセンサ３８による可視画像の読み取りおよびラインセンサ４５による赤外画像の読み取りが完了する。
【００５５】
次に、搬送読み取りモードについて説明する。
原稿送り装置１０にて搬送される原稿の画像を読み取る際には、搬送される原稿が、第２プラテンガラス３２Ｂの上を通過する。このとき、フルレートキャリッジ３３およびハーフレートキャリッジ３４は、図７に示す実線の位置に停止した状態におかれる。この状態で、フルレートキャリッジ３３に搭載された照明ランプ３５およびハーフレートキャリッジ３４に搭載されたＣＩＳ４０に設けられた赤外ＬＥＤアレイ４３が点灯する。そして、原稿送り装置１０の第１プラテンロール１７ａを経た１ライン目の反射光(赤外光)が、ＣＩＳ４０のガラス４２を経てロッドレンズアレイ４４にて結像され、ラインセンサ４５によって赤外画像が読み込まれる。次いで、原稿送り装置１０の第２プラテンロール１７ｂを経た原稿の１ライン目の反射光が、第１ミラー３６Ａ、第２ミラー３６Ｂ、および第３ミラー３６Ｃを経て結像用レンズ３７にて結像され、ＣＣＤイメージセンサ３８によって可視画像が読み込まれる。
次に、ラインセンサ４５およびＣＣＤイメージセンサ３８にて主走査方向の１ライン分を同時に処理した後、原稿送り装置１０によって搬送される原稿の次の主走査方向の１ラインが、ラインセンサ４５およびＣＣＤイメージセンサ３８によって読み込まれる。そして、原稿の先端が第２プラテンガラス３２Ｂ上の各読み取り位置に到達した後、この原稿の後端が第２プラテンガラス３２Ｂ上の各読み取り位置を通過することによって、副走査方向に亘って１ページの原稿読み取りすなわちＣＣＤイメージセンサ３８による可視画像の読み取りおよびラインセンサ４５による赤外画像の読み取りが完了する。
【００５６】
また、原稿の両面に形成された画像を読み取る際には、表面側の読み取りを完了した原稿の後端が第２搬送路２２に設けられた排出ロール１９を通過する直前に、排出ロール１９の駆動方向が逆方向に切り替えられる。このとき、図示しないゲートの向きが切り替えられることにより、原稿は第３搬送路２３に導かれる。このとき、原稿の後端側が今度は先端側になる。そして、原稿は表裏が反転された状態で再び第２プラテンガラス３２Ｂの上を通過し、上述したプロセスと同様にして裏面側の読み取りすなわちラインセンサ４５による赤外画像の読み取りおよびＣＣＤイメージセンサ３８による可視画像の読み取りが行われる。そして、裏面側の読み取りを完了した原稿の後端が第２搬送路２２に設けられた排出ロール１９を通過する直前に、排出ロール１９の駆動方向が再び逆方向に切り替えられる。このとき、図示しないゲートの向きが切り替えられることにより、原稿は第４搬送路２４へと導かれる。このとき、原稿の先後端が再び入れ替わり、原稿は原稿トレイ１１上に置かれていたときとは表裏が反転した状態で排紙トレイ１２上に排出される。
【００５７】
そして、ＣＣＤイメージセンサ３８によって取得された可視画像データは、実施の形態１と同様に可視画像処理部７０にて所定の処理がなされた後、文書画像データとして出力される。また、ラインセンサ４５によって取得された赤外画像データは、実施の形態１と同様に赤外画像処理部８０にて所定の処理がなされ、取得された識別情報が出力されることになる。
【００５８】
このように、本実施の形態においても、原稿に形成される文書画像(可視画像)を読み取るための読み取り装置３０と、同じ原稿に形成されるコード画像(不可視画像、赤外画像)を読み取るためのＣＩＳ４０とを設け、これら読み取り装置３０およびＣＩＳ４０を用いて、原稿の同一面を読み取るように構成した。これにより、読み取り生産性の低下を抑制しながら、原稿に形成された文書画像及びコード画像を１プロセスで読み取ることが可能になる。
特に、本実施の形態では、フルレートキャリッジ３３ではなく、ハーフレートキャリッジ３４にＣＩＳ４０を搭載しているため、フルレートキャリッジ３３の重量増加に伴うモーションクオリティの低下およびこれに伴う可視画像の画質低下を抑制することができる。
【００５９】
なお、ハーフレートキャリッジ３４にＣＩＳ４０を搭載した場合、固定読み取りモードにおいて、ＣＩＳ４０(ラインセンサ４５)が原稿の全域を読み取ることはできない。これは、図７にも示したように、ハーフレートキャリッジ３４が、フルレートキャリッジ３３の半分しか移動しないことによる。ただし、図６を用いて説明したように、コード画像(不可視画像)は原稿の全域に形成されており、しかも対象となるコード画像は原稿の全域にわたって同一の識別情報を含むものであるため、このことによって問題は生じない。
【００６０】
＜実施の形態３＞
図８は、本実施の形態が適用されるスキャナの構成例を示す図である。このスキャナの基本構成は、実施の形態１で説明したものとほぼ同様であるが、実施の形態１では原稿送り装置１０内に反転パスを設けることで原稿の両面読み取りを実行可能としていたのに対し、本実施の形態では、原稿送り装置１０内に原稿の他の面を読み取る機構を設け、原稿の一度の搬送で原稿の両面に形成された画像を読み取り可能としたものである。なお、本実施の形態において、実施の形態１と同様のものについては同じ符号を付してその詳細な説明を省略する。
【００６１】
図８に示すスキャナにおいて、読み取り装置３０の構成は実施の形態１と同じであるため、説明を省略する。
一方、原稿送り装置１０は、複数枚の原稿からなる原稿束を積載する原稿トレイ１１１、この原稿トレイ１１１の下方に設けられ、読み取りが終了した原稿を積載する排紙トレイ１１２を備える。また、原稿送り装置１０は原稿トレイ１１１の原稿を取り出して搬送するナジャーロール１１３を備える。さらに、ナジャーロール１１３の原稿搬送方向下流側には、用紙を一枚ずつに捌く捌き機構１１４が設けられる。この捌き機構１１４は、ナジャーロール１１３により供給される原稿をさらに下流側に向けて搬送するフィードロールおよびナジャーロール１１３により供給される原稿を一枚ずつに捌くリタードロールを有する。原稿が搬送される搬送路１１５には、原稿搬送方向上流側から順に、プレレジロール１１６、レジロール１１７、第１プラテンロール１１８ａ、第２プラテンロール１１８ｂ、アウトロール１１９、および排出ロール１２０が設けられる。プレレジロール１１６は、一枚ずつに捌かれた原稿を下流側のロールに向けて搬送すると共に原稿のループ形成を行う。レジロール１１７は、回転し一旦停止した後にタイミングを合わせて回転を再開し、原稿読み取り部に対してレジストレーション調整を施しながら原稿を供給する。第１プラテンロール１１８ａは、読み取り装置３０のＣＩＳ４０(ラインセンサ４５)にて読み込み中の原稿搬送をアシストする。第２プラテンロール１１８ｂは、読み取り装置３０のＣＣＤイメージセンサ３８にて読み込み中の原稿搬送をアシストする。
アウトロール１１９は、読み取り装置３０にて読み込まれた原稿をさらに下流に搬送する。そして、排出ロール１２０は、読み込まれた原稿をさらに搬送すると共に排紙トレイ１１２に排出する。
また、原稿送り装置１０において、アウトロール１１９と排出ロール１２０との間には、原稿搬送方向上流側から順に、赤外ＣＩＳ１３０および可視ＣＩＳ１４０が設けられている。本実施の形態では、上記ＣＩＳ４０の他に赤外ＣＩＳ１３０も第２読み取り部として機能する。また上記読み取り装置３０の他に可視ＣＩＳ１４０も第１読み取り部として機能する。
【００６２】
図９は、上記赤外ＣＩＳ１３０および可視ＣＩＳ１４０の構成例を示す図である。これら赤外ＣＩＳ１３０および可視ＣＩＳ１４０は、図８に示したようにアウトロール１１９と排出ロール１２０との間に設けられる。原稿の片面(第１面)は、第２プラテンガラス３２Ｂに押し当てられ、この第１面の画像のうち、赤外画像はＣＩＳ４０(ラインセンサ４５)にて読み込まれ、可視画像はＣＣＤイメージセンサ３８にて読み込まれる。一方、赤外ＣＩＳ１３０および可視ＣＩＳ１４０は、搬送路１１５を介して対向する他方の側から、原稿の片面(第２面)の画像を読み込む。すなわち、この第２面の画像のうち、赤外画像は赤外ＣＩＳ１３０(後述する赤外ラインセンサ１３５)にて読み込まれ、可視画像は可視ＣＩＳ１４０(後述する可視ラインセンサ１４５)にて読み込まれる。
【００６３】
これらのうち、赤外ＣＩＳ１３０は、ハウジング１３１、ガラス１３２、赤外ＬＥＤアレイ１３３、ロッドレンズアレイ１３４、および赤外ラインセンサ１３５を備えている。これらのうち、ガラス１３２は、ハウジング１３１の搬送路１１５側に形成された開口に装着される。また、赤外光源として機能する赤外ＬＥＤアレイ１３３は、ガラス１３２を介して原稿の第２面に光(赤外光)を照射する。ロッドレンズアレイ１３４は、赤外ＬＥＤアレイ１３３からの照射光の反射光を集光する。赤外センサとして機能する赤外ラインセンサ１３５は、ロッドレンズアレイ１３４により集光された光(赤外光)を読み取る。
【００６４】
他方、可視ＣＩＳ１４０は、ハウジング１４１、ガラス１４２、白色ＬＥＤアレイ１４３、ロッドレンズアレイ１４４、および可視ラインセンサ１４５を備えている。これらのうち、ガラス１４２は、ハウジング１４１の搬送路１１５側に形成された開口に装着される。また、可視光源として機能する白色ＬＥＤアレイ１４３は、ガラス１４２を介して原稿の第２面に光(白色光)を照射する。ロッドレンズアレイ１４４は、白色ＬＥＤアレイ１４３からの照射光の反射光を集光する。可視センサとして機能する可視ラインセンサ１４５は、ロッドレンズアレイ１３４により集光された光(可視光)を読み取る。
【００６５】
そして、赤外ラインセンサ１３５および可視ラインセンサ１４５としては、ＣＣＤやＣＭＯＳセンサ、密着型センサ等を用いることができ、実寸幅(例えばＡ４長手幅２９７ｍｍ)の画像を読み取ることが可能である。つまり、赤外ＣＩＳ１３０および可視ＣＩＳ１４０では、縮小光学系を用いずにロッドレンズアレイ１３４および赤外ラインセンサ１３５(ロッドレンズアレイ１４４および可視ラインセンサ１４５)を用いた密着光学系にて画像の取り込みを行う。したがって、構造をシンプルにすることができ、且つ、筐体を小型化し、消費電力を低減することができる。
【００６６】
図１０は、本実施の形態で用いられる制御・画像処理ユニット５０の機能ブロック図を示している。この制御・画像処理ユニットの基本構成は実施の形態１で説明したものと同様であるが、信号処理部５１が画像処理部を４系統備えている点が異なっている。すなわち、本実施の形態では、信号処理部５１が、第１可視画像処理部１５０、第１赤外画像処理部１６０、第２可視画像処理部１７０、および第２赤外画像処理部１８０を備えている。
第１可視画像処理部１５０は、ＣＣＤイメージセンサ３８によって得られた原稿の第１面の可視画像データ(第１可視画像データ)に対して処理を施す。第１赤外画像処理部１６０は、ＣＩＳ４０によって得られた原稿の第１面の赤外画像データ(第１赤外画像データ)に対して処理を施す。第２可視画像処理部１７０は、可視ＣＩＳ１４０(可視ラインセンサ１４５)によって得られた原稿の第２面の可視画像データ(第２可視画像データ)に対して処理を施す。第２赤外画像処理部１８０は、赤外ＣＩＳ１３０(赤外ラインセンサ１３５)によって得られた原稿の第２面の赤外画像データ(第２赤外画像データ)に対して処理を施す。これら第１可視画像処理部１５０、第１赤外画像処理部１６０、第２可視画像処理部１７０、および第２赤外画像処理部１８０からの出力は、実施の形態１と同様、例えばプリンタ等や、パーソナルコンピュータ(ＰＣ)等のホストシステムへ出力される。
【００６７】
また、第１可視画像処理部１５０および第２可視画像処理部１７０の構成は、実施の形態１で説明した可視画像処理部７０(図５(ａ)参照)と同じものを使用することができる。したがって、本実施の形態では、第１可視画像処理部１５０および第２可視画像処理部１７０が、第２処理部として機能する。また、第１赤外画像処理部１６０および第２赤外画像処理部１８０の構成は、実施の形態１で説明した赤外画像処理部８０(図５(ｂ)参照)と同じものを使用することができる。したがって、本実施の形態では、第１赤外画像処理部１６０および第２赤外画像処理部１８０が第１処理部として機能する。
【００６８】
では、本実施の形態にかかるスキャナを用いた原稿の読み取り動作について説明する。このスキャナでは、実施の形態１と同様、第１プラテンガラス３２Ａに載置された原稿の読み取り(固定読み取りモード)、および、原稿送り装置１０にて搬送される原稿の読み取りが可能である。但し、固定読み取りモードは実施の形態１と同じプロセスとなるので、ここでは搬送読み取りモードのみについて説明を行う。
【００６９】
原稿送り装置１０にて搬送される原稿の画像を読み取る際には、搬送される原稿が、第２プラテンガラス３２Ｂの上を通過する。このとき、フルレートキャリッジ３３およびハーフレートキャリッジ３４は、図８に示す実線の位置に停止した状態におかれる。この状態で、フルレートキャリッジ３３に搭載された照明ランプ３５およびフルレートキャリッジ３３に搭載されたＣＩＳ４０に設けられた赤外ＬＥＤアレイ４３が点灯する。そして、原稿送り装置１０の第１プラテンロール１７ａを経た１ライン目の反射光(赤外光)が、ＣＩＳ４０のガラス４２を経てロッドレンズアレイ４４にて結像され、ラインセンサ４５によって赤外画像が読み込まれる。次いで、原稿送り装置１０の第２プラテンロール１７ｂを経た原稿の１ライン目の反射光が、第１ミラー３６Ａ、第２ミラー３６Ｂ、および第３ミラー３６Ｃを経て結像用レンズ３７にて結像され、ＣＣＤイメージセンサ３８によって可視画像が読み込まれる。これにより、原稿の第１面の赤外画像および可視画像の読み取りが行われる。
【００７０】
次に、ラインセンサ４５およびＣＣＤイメージセンサ３８にて主走査方向の１ライン分を同時に処理した後、原稿送り装置１０によって搬送される原稿の次の主走査方向の１ラインが、ラインセンサ４５およびＣＣＤイメージセンサ３８によって読み込まれる。そして、原稿の先端が第２プラテンガラス３２Ｂ上の各読み取り位置に到達した後、この原稿の後端が第２プラテンガラス３２Ｂ上の各読み取り位置を通過することによって、副走査方向に亘って１ページ分の第１面の原稿読み取りすなわちラインセンサ４５による赤外画像の読み取りおよびＣＣＤイメージセンサ３８による可視画像の読み取りが完了する。
【００７１】
また、原稿の両面に形成された画像を読み取る際には、ラインセンサ４５およびＣＣＤイメージセンサ３８にて読み取りがなされた原稿がさらに搬送され、赤外ＣＩＳ１３０および可視ＣＩＳ１４０との対向位置を順次通過する。このとき、赤外ＣＩＳ１３０に設けられた赤外ＬＥＤアレイ１３３および可視ＣＩＳ１４０に設けられた白色ＬＥＤアレイ１４３が点灯する。そして、赤外ＣＩＳ１３０では、原稿送り装置１０のアウトロール１１９を経た１ライン目の反射光(赤外光)が、ガラス１３２を経てロットレンズアレイ１３４にて結像され、赤外ラインセンサ１３５によって赤外画像が読み込まれる。次いで、可視ＣＩＳ１４０では、１ライン目の反射光(可視光)が、ガラス１４２を経てロッドレンズアレイ１４４にて結像され、可視ラインセンサ１４５によって可視画像が読み込まれる。これにより、原稿の第２面の赤外画像及び可視画像の読み取りが行われる。
【００７２】
次に、赤外ラインセンサ１３５および可視ラインセンサ１４５にて主走査方向の１ライン分を同時に処理した後、原稿送り装置１０によって搬送される原稿の次に主走査方向の１ラインが、赤外ラインセンサ１３５および可視ラインセンサ１４５によって読み込まれる。そして、原稿の先端が赤外ＣＩＳ１３０および可視ＣＩＳ１４０による各読み取り位置に到達した後、この原稿の後端が各読み取り位置を通過することによって、副走査方向に亘って１ページ分の第２面の原稿読み取りすなわち赤外ラインセンサ１３５による赤外画像の読み取りおよび可視ラインセンサ１４５による可視画像の読み取りが完了する。
【００７３】
そして、ＣＣＤイメージセンサ３８によって取得された第１可視画像データ(原稿の第１面の可視画像データ)は、第１可視画像処理部１５０に入力され、所定の処理がなされた後、原稿の第１面の文書画像データとして出力される。また、ラインセンサ４５によって取得された第１赤外画像データ(原稿の第１面の赤外画像データ)は、第１赤外画像処理部１６０に入力され、所定の処理がなされた後に識別情報の解析が行われ、得られた識別情報(原稿の第１面の識別情報)が出力される。
【００７４】
他方、可視ＣＩＳ１４０(可視ラインセンサ１４５)によって取得された第２可視画像データ(原稿の第２面の可視画像データ)は、第２可視画像処理部１７０に入力され、所定の処理がなされた後、原稿の第２面の文書画像データとして出力される。また、赤外ＣＩＳ１３０(赤外ラインセンサ１３５)によって取得された第２赤外画像データ(原稿の第２面の赤外画像データ)は、第２赤外画像処理部１８０に入力され、所定の処理がなされた後に識別情報の解析が行われ、得られた識別情報(原稿の第２面の識別情報)が出力される。
【００７５】
以上説明したように、本実施の形態では、搬送読み取りモードにおいて、原稿の第１面の画像を読み取り装置３０およびＣＩＳ４０で読み取り、同じ原稿の第２面の画像を原稿送り装置１０に設けられた可視ＣＩＳ１４０および赤外ＣＩＳ１３０で読み取るように構成した。このとき、読み取り装置３０は原稿の第１面の可視画像を読み取り、ＣＩＳ４０はこの原稿の第１面の赤外画像を読み取るようにした。一方、可視ＣＩＳ１４０はこの原稿の第２面の可視画像を読み取り、赤外ＣＩＳ１３０はこの原稿の第２面の赤外画像を読み取るようにした。これにより、搬送読み取りモードの両面読み取りモードにおいて、読み取り生産性の低下を抑制しながら、原稿の両面に形成された文書画像及びコード画像を１プロセスで読み取ることが可能になる。
【００７６】
また、本実施の形態においては、原稿の第１面の文書画像(可視画像)を読み取るための光学系と原稿の第１面のコード画像(不可視画像、赤外画像)を読み取る光学系とを完全に分離した。また、原稿の第２面の文書画像(可視画像)を読み取るための光学系と原稿の第２面のコード画像(不可視画像、赤外画像)を読み取る光学系とを完全に分離した。これにより、例えば文書画像を読み取るための光学系のみを備えたスキャナに、容易にコード画像を読み取るための光学系を追加装着することが可能になる。また、一方の照明が他方の読み取りに与える影響を低減することもできる。
【００７７】
＜実施の形態４＞
図１１は、本実施の形態が適用されるスキャナの構成例を示す図である。ここで、図１１(ａ)はスキャナの側部断面図を示しており、図１１(ｂ)はスキャナの上面図を示している。本実施の形態にかかるスキャナでは、実施の形態１と同様に一次元ラインセンサからなるＣＣＤイメージセンサを用いて原稿の可視画像(文書画像)を読み取る一方、二次元エリアセンサを用いて原稿の赤外画像(不可視画像、コード画像)を読み取っている点が上記実施の形態１〜３とは異なる。また、このスキャナは、所謂固定読み取りモード専用である点も上記実施の形態１〜３とは異なる。
このスキャナは、載置された原稿の画像を読み取る読み取り装置２００と、読み取り装置２００に載置された原稿を固定するのに用いられるプラテンカバー２２０とを備える。
【００７８】
読み取り装置２００は、筐体を形成する装置フレーム２０１、および画像を読み込むべき原稿を静止させた状態で載置する載置部としてのプラテンガラス２０２を備える。
また、読み取り装置２００は、プラテンガラス２０２のほぼ全体にわたってスキャンして画像読み込むフルレートキャリッジ２０３、フルレートキャリッジ２０３から得られた光を結像部へ供給するハーフレートキャリッジ２０４を備えている。フルレートキャリッジ２０３には、原稿に白色光を照射する照明ランプ２０５、照明ランプ２０５からの照射光をプラテンガラス２０２側に向けて反射するリフレクタ２０５Ａ、および原稿から得られた反射光を受光する第１ミラー２０６Ａが設けられている。また、ハーフレートキャリッジ２０４には、第１ミラー２０６Ａから得られた光を結像部へ提供する第２ミラー２０６Ｂおよび第３ミラー２０６Ｃが設けられている。さらに、読み取り装置２００は、結像用レンズ２０７およびＣＣＤイメージセンサ２０８を備えている。これらのうち、結像用レンズ２０７は、第３ミラー２０６Ｃから得られた光学像を光学的に縮小する。また、ＣＣＤイメージセンサ２０８は、結像用レンズ２０７によって結像された光学像を光電変換する。つまり、読み取り装置２００では、所謂縮小光学系を用いてＣＣＤイメージセンサ２０８に像を結像させている。このＣＣＤイメージセンサ２０８の構成は実施の形態１で説明したＣＣＤイメージセンサ３８(図２参照)の構成と同じである。すなわち、ＣＣＤイメージセンサ２０８は、複数(例えば三本)の一次元ラインセンサにて構成される。また、このスキャナにおいては、フルレートキャリッジ２０３およびハーフレートキャリッジ２０４によって、走査部が構成されている。そして、本実施の形態では、プラテンガラス２０２上に載置された原稿の画像を、フルレートキャリッジ２０３およびハーフレートキャリッジ２０４にて走査(スキャン)することにより、読み取りが行われる。このとき、原稿の端部を除くほぼ全面(スキャン全領域という)の画像を読み取ることができる。
【００７９】
また、読み取り装置２００は、プラテンガラス２０２に載置された原稿の赤外画像を読み取る赤外画像読み取り部２１０をさらに備える。この赤外画像読み取り部２１０は、原稿に赤外光を照射する複数の赤外ＬＥＤ２１１、原稿から得られた反射光(赤外光)を結像部へ提供する結像用レンズ２１２、および赤外エリアセンサ２１４を備えた赤外センサ部２１３を備える。なお、本実施の形態で用いられる赤外エリアセンサ２１４は、プラテンガラス２０２に載置される原稿のうち例えば１０ｍｍ×１０ｍｍの矩形領域(特定領域)の画像(赤外画像)を読み取ることができるように構成されている。すなわち、赤外エリアセンサ２１４は、二次元エリアセンサにて構成される。また、このスキャナでは、プラテンガラス２０２の一角をレジ基準位置２０２ａとする所謂コーナーレジ方式を採用しており、赤外画像読み取り部２１０(赤外エリアセンサ２１４)は、レジ基準位置２０２ａの近傍に取り付けられている。これにより、プラテンガラス２０２上に小サイズの原稿を載置して読み取りを行う場合にも、この原稿に形成された赤外画像を読み取ることができるようになっている。
【００８０】
さらに、読み取り装置２００は、制御・画像処理ユニット２３０をさらに備える。制御・画像処理ユニット２３０は、ＣＣＤイメージセンサ２０８や赤外エリアセンサ２１４から入力される画像データに所定の処理を施す。また、制御・画像処理ユニット２３０は、読み取り装置２００の各部の動作を制御する。
【００８１】
他方、読み取り装置２００に対して開閉自在に配設されるプラテンカバー２２０は、図中奥側を軸とし、図中手前側を揺動させることで開閉を行うことができるようになっている。そして、読み取り装置２００とプラテンカバー２２０との間には、読み取り装置２００に対するプラテンカバー２２０の開閉動作を検知する開閉センサ２２１が取り付けられている。なお、図１１(ｂ)においては、プラテンカバー２２０および開閉センサ２２１の記載を省略している。
【００８２】
図１２は、制御・画像処理ユニット２３０の機能ブロック図を示している。この制御・画像処理ユニット２３０は、ＣＣＤイメージセンサ２０８から入力される可視画像データおよび赤外エリアセンサ２１４から入力される赤外画像データに処理を施す信号処理部２３１と、読み取り装置２００の動作を制御する制御部２３２とを備えている。信号処理部２３１は、原稿の一方の面を読み取るＣＣＤイメージセンサ２０８およびこのＣＣＤイメージセンサ２０８と同一の面を読み取る赤外エリアセンサ２１４からの各々の出力に対して所定の画像処理を施す機能を有している。
【００８３】
信号処理部２３１は、ＣＣＤイメージセンサ２０８によって得られた可視画像データに対して画像処理を施す可視画像処理部２５０と、赤外エリアセンサ２１４によって得られた赤外画像データに対して画像処理を施す赤外画像処理部２６０とを備える。これら可視画像処理部２５０、および赤外画像処理部２６０からの出力は、実施の形態１と同様、例えばプリンタ等や、パーソナルコンピュータ(ＰＣ)等のホストシステムへ出力される。
そして、可視画像処理部２５０の構成は、実施の形態１で説明した可視画像処理部７０(図５(ａ)参照)と同じものを使用することができる。また、赤外画像処理部２６０の構成は、実施の形態１で説明した赤外画像処理部８０(図５(ｂ)参照)と同じものを使用することができる。
【００８４】
一方、制御部２３２は、読み取りコントローラ２４１、センサコントローラ２４２、照明コントローラ２４３、およびスキャンコントローラ２４４を備える。これらのうち、読み取りコントローラ２４１は、読み取り装置２００の全体を制御する。センサコントローラ２４２はＣＣＤイメージセンサ２０８および赤外エリアセンサ２１４による画像データの取り込み動作を制御する。照明コントローラ２４３は、所定のタイミングに合わせて白色光源からなる照明ランプ２０５や赤外ＬＥＤ２１１の点灯・消灯を制御する。スキャンコントローラ２４４は、読み取り装置２００におけるモータのオン/オフなどを行いフルレートキャリッジ２０３およびハーフレートキャリッジ２０４によるスキャン動作を制御する。これらの各種コントローラからは、読み取り装置２００に対して制御信号が出力され、かかる制御信号に基づいて、これらの動作制御が可能となる。読み取りコントローラ２４１は、ホストシステムからの制御信号や、例えば自動選択読み取り機能に際して、あるいは、プラテンカバーの開閉動作に際して開閉センサ２２１で検出されるセンサ出力、ＵＩ(User Interface)を介したユーザからの選択等に基づいて読み取り装置２００を制御している。なお、本実施の形態にかかるスキャナでは、プラテンガラス２０２上に載置された原稿の画像を読み取る固定読み取りモードのみが実行可能である。
【００８５】
では、図１３に示すフローチャートを参照しつつ、本実施の形態にかかるスキャナを用いた原稿の読み取り動作について説明する。
ユーザがプラテンガラス２０２上に原稿を載置する際に、ユーザによりプラテンカバー２２０が開けられ、プラテンガラス２０２上に原稿がセットされた後、プラテンカバー２２０が閉じられる。このとき、開閉センサ２２１は、プラテンカバー２２０を開状態から閉状態に移行するのを検知する(ステップ１０１)。なお、開閉センサ２２１にて開状態から閉状態への移行が検知されない場合は、ステップ１０１に戻って検知を待つ。すると、読み取りコントローラ２４１は、照明コントローラ２４３に制御信号を出力し、照明コントローラ２４３は赤外ＬＥＤ２１１を点灯させる(ステップ１０２)。また、読み取りコントローラ２４１は、センサコントローラ２４２に制御信号を出力し、センサコントローラ２４２は赤外エリアセンサ２１４による赤外画像読み取りを実行させる(ステップ１０３)。そして、読み取りコントローラ２４１は、開閉センサ２２１による検知結果に基づいてプラテンカバー２２０が完全に閉じられたか否かを判断する(ステップ１０４)。ここで、プラテンカバー２２０が完全に閉じられていない場合は、ステップ１０３に戻って赤外画像読み取りを続行する。一方、ステップ１０４においてプラテンカバー２２０が完全に閉じられたと判断した場合、読み取りコントローラ２４１は、照明コントローラ２４３に制御信号を出力し、照明コントローラ２４３は赤外ＬＥＤ２１１を消灯させる(ステップ１０５)。また、読み取りコントローラ２４１は、センサコントローラ２４２に制御信号を出力し、センサコントローラ２４２は赤外エリアセンサ２１４による赤外画像読み取りを終了させる。
なお、上記ステップ１０３で赤外エリアセンサ２１４にて読み取られた赤外画像データは、赤外画像処理部２６０で所定の処理がなされ、その結果として識別情報の取得および出力が行われる。このようにして、プラテンカバー２２０の閉動作がなされている間に、原稿の赤外画像の読み取りおよび得られた赤外画像データに基づく識別情報の取得が実行されることになる。
【００８６】
次に、読み取りコントローラ２４１は、ＵＩ等を介してユーザによりスタートボタンの押下が実行されたか否かを判断する(ステップ１０６)。ここで、スタートボタンが押下されていないと判断した場合は、スタートボタンの押下を待つ。一方、スタートボタンの押下が実行されたと判断した場合、読み取りコントローラ２４１は、照明コントローラ２４３に制御信号を出力し、照明コントローラ２４３は照明ランプ２０５を点灯させる(ステップ１０７)。また、読み取りコントローラ２４１は、スキャンコントローラ２４４に制御信号を出力し、スキャンコントローラ２４４はフルレートキャリッジ２０３およびハーフレートキャリッジ２０４によるスキャン動作を開始させる。さらに、読み取りコントローラ２４１は、センサコントローラ２４２に制御信号を出力し、センサコントローラ２４２はＣＣＤイメージセンサ２０８による可視画像読み取りを開始させる(ステップ１０８)。そして、読み取りコントローラ２４１は、フルレートキャリッジ２０３の読み取り部位が原稿の端部に到達したか否か、すなわち、可視画像の読み取りが完了したか否かを判断する(ステップ１０９)。ここで、可視画像の読み取りが完了していない場合は、ステップ１０８に戻って可視画像読み取りを続行する。一方、ステップ１０９において可視画像読み取りが完了したと判断した場合、読み取りコントローラ２４１は、照明コントローラ２４３に制御信号を出力し、照明コントローラ２４３は照明ランプ２０５を消灯させる(ステップ１１０)。また、読み取りコントローラ２４１は、センサコントローラ２４２に制御信号を出力し、センサコントローラ２４２はＣＣＤイメージセンサ２０８による可視画像読み取りを終了させる。さらに、読み取りコントローラ２４１は、スキャンコントローラ２４４に制御信号を出力し、スキャンコントローラ２４４はフルレートキャリッジ２０３およびハーフレートキャリッジ２０４をホームポジション(図１１(ａ)に実線で示す位置)まで移動させる。以上により、原稿の読み取り動作が終了する。
なお、上記ステップ１０８でＣＣＤイメージセンサ２０８にて読み取られた可視画像データは、可視画像処理部２５０で所定の処理がなされ、その結果として文書画像データの出力が行われる。
【００８７】
以上説明したように、本実施の形態では、原稿に形成される文書画像(可視画像)を、一次元のラインセンサであるＣＣＤイメージセンサ２０８を用いて読み取るとともに、原稿の同じ面に形成されるコード画像(不可視画像、赤外画像)を、二次元のエリアセンサである赤外エリアセンサ２１４を用いて読み取るようにした。これにより、読み取り生産性の低下を抑制しながら、原稿に形成された文書画像及びコード画像をともに読み取ることが可能になる。
特に、本実施の形態では、プラテンカバー２２０の閉動作に連動して先に赤外エリアセンサ２１４を用いた赤外画像読み取りを実行させ、その後、ユーザから受け付けた指示に基づいてＣＣＤイメージセンサ２０８による可視画像読み取りを実行させるようにした。このため、可視画像の読み取り動作に際してユーザの待ち時間を長期化させることがない。
【００８８】
また、本実施の形態では、赤外エリアセンサ２１４を読み取り装置２００に固定し、原稿上の所定の領域のみを読み取るように構成した。ここで、コード画像は、実施の形態２で説明したように原稿の全面に一様に形成されており、所定の領域を読み取る構成とした場合にも、必要なコード画像を取得することができる。そして、本実施の形態では、赤外画像読み取り部２１０(赤外エリアセンサ２１４)を固定読み取りの基準位置となるレジ基準位置２０２ａの近傍に配置するようにした。これにより、原稿のサイズに関係なく、原稿に形成されたコード画像を読み取ることが可能になる。
【００８９】
そして、本実施の形態では、文書画像(可視画像)を読み取るための光学系とコード画像(不可視画像、赤外画像)を読み取るための光学系とを完全に分離し、それぞれ別個で読み取りを行わせるようにした。特に、本実施の形態では、赤外画像読み取り部２１０が可動部を有しておらず、固定状態で赤外画像の読み取りを行うことが可能であるため、例えば文書画像を読み取るための光学系のみを備えたスキャナに、容易にコード画像を読み取るための光学系(赤外画像読み取り部２１０)を追加装着することが可能になる。また、本実施の形態では、赤外画像の読み取り期間と可視画像の読み取り期間とを異ならせているため、一方の照明が他方の読み取りに与える影響を低減することもできる。
【００９０】
なお、本実施の形態では、プラテンガラス２０２に対向するように赤外エリアセンサ２１４を配設していたが、これに限られるものではない。図１４は、実施の形態４にかかるスキャナの変形例を示している。図１４に示すスキャナでは、赤外反射光の光路中にミラー２１５を取り付けることにより赤外光の光路を垂直方向に曲げるように構成し、赤外光の光路を可視光の光路とほぼ平行にしている。このような構成を採用することにより、図１１に示すスキャナと比べて赤外光の光路長を長く確保することができ、結像レンズ２１２を用いた赤外光の集光をより容易に行うことが可能になる。
【００９１】
＜実施の形態５＞
図１５は、本実施の形態が適用されるスキャナの構成例を示す図である。ここで、図１５(ａ)はスキャナの側部断面図を示しており、図１５(ｂ)はスキャナの上面図を示している。このスキャナの基本構成は、実施の形態４で説明したものとほぼ同様であるが、フルレートキャリッジ２０３に赤外ＬＥＤ２１１が搭載されている点、および、原稿から反射した赤外光が第１ミラー２０６Ａ、第２ミラー２０６Ｂ、および第３ミラー２０６Ｃを介して結像用レンズ２１２に入射された後に赤外センサ部２１３(赤外エリアセンサ２１４)にて受光される点が異なっている。なお、本実施の形態において、実施の形態４と同様のものについては同じ符号を付してその詳細な説明を省略する。
【００９２】
本実施の形態において、赤外ＬＥＤ２１１は、フルレートキャリッジ２０３の一端部側、具体的には、レジ基準位置２０２ａ側に装着されている。また、結像用レンズ２１２および赤外センサ部２１３(赤外エリアセンサ２１４)もレジ基準位置２０２ａ側に偏倚して装着されている。
なお、制御・画像処理ユニット２３０の構成は、実施の形態４で説明したもの(図１２参照)と同じものを使用することができる。
【００９３】
そして、本実施の形態にかかるスキャナでは、実施の形態４と同様、図１３に示すフローチャートに従って原稿の読み取り動作が実行される。すなわち、プラテンカバー２２０の開状態から閉状態への移行動作に連動して赤外エリアセンサ２１４を用いた赤外画像の読み取りが実行され、その後プラテンカバー２２０がが閉状態となった後にＣＣＤイメージセンサ２０８を用いた可視画像の読み取りが実行される。
【００９４】
このように、本実施の形態では、原稿に形成される文書画像(可視画像)を、一次元のラインセンサであるＣＣＤイメージセンサ２０８を用いて読み取るとともに、原稿の同じ面に形成されるコード画像(不可視画像、赤外画像)を、二次元のエリアセンサである赤外エリアセンサ２１４を用いて読み取るようにした。これにより、読み取り生産性の低下を抑制しながら、原稿に形成された文書画像及びコード画像をともに読み取ることが可能になる。
【００９５】
また、本実施の形態では、赤外エリアセンサ２１４によって原稿上の所定の領域のみを読み取るように構成した。ここで、コード画像は、実施の形態２で説明したように原稿の全面に一様に形成されており、所定の領域を読み取る構成とした場合にも、必要なコード画像を取得することができる。そして、本実施の形態では、赤外画像読み取り部２１０(赤外ＬＥＤ２１１、結像用レンズ２１２、および赤外センサ部２１３(赤外エリアセンサ２１４)を固定読み取りの基準位置となるレジ基準位置２０２ａの近傍に配置するようにした。これにより、原稿のサイズに関係なく、原稿に形成されたコード画像を読み取ることが可能になる。
【００９６】
＜実施の形態６＞
図１６は、本実施の形態が適用されたスキャナの構成例を示す図である。ここで、図１６(ａ)はスキャナの側部断面図を示しており、図１６(ｂ)はスキャナの上面図を示している。このスキャナの基本構成は、実施の形態５で説明したものとほぼ同様であるが、フルレートキャリッジ２０３に照明ランプ２０５および赤外ＬＥＤ２１１を搭載するのに代えて白色赤外光源２１６を搭載した点、および、読み取り装置２００内に紙幅検知センサ２１７を取り付けた点が異なる。なお、本実施の形態において、実施の形態４と同様のものについては同じ符号を付してその詳細な説明を省略する。
【００９７】
ここで、白色赤外光源２１６は、可視光である白色光および不可視光である赤外光をともに照射できる機能を有する。
また、紙幅検知センサ２１７はプラテンガラス２０２上に載置された原稿がこの紙幅検知センサ２１７との対向部に存在するか否かを検知し、その検知結果に基いて、原稿の副走査方向長さ(紙幅)が所定のサイズ(例えばＡ４ＬＥＦ)であるか否か等の判断が行われる。なお、本実施の形態において、紙幅検知センサ２１７は、可視光に感度を有する光センサにて構成される。
なお、制御・画像処理ユニット２３０の構成は、実施の形態４で説明したもの(図１２参照)と同じものを使用することができる。
【００９８】
では、図１７に示すフローチャートを参照しつつ、本実施の形態にかかるスキャナを用いた原稿の読み取り動作について説明する。
ユーザがプラテンガラス２０２上に原稿を載置する際に、ユーザによりプラテンカバー２２０が開けられ、プラテンガラス２０２上に原稿がセットされた後、プラテンカバー２２０が閉じられる。このとき、開閉センサ２２１は、プラテンカバー２２０を開状態から閉状態に移行するのを検知する(ステップ２０１)。なお、開閉センサ２２１にて開状態から閉状態への移行が検知されない場合は、ステップ２０１に戻って検知を待つ。すると、読み取りコントローラ２４１は、照明コントローラ２４３に制御信号を出力し、照明コントローラ２４３は白色赤外光源２１６を点灯させる(ステップ２０２)。また、読み取りコントローラ２４１は、センサコントローラ２４２に制御信号を出力し、センサコントローラ２４２は赤外エリアセンサ２１４による赤外画像読み取りを実行させる(ステップ２０３)。さらに、センサコントローラ２４２は、紙幅検知センサ２１７による原稿幅の読み取り(紙幅検知)を実行させる(ステップ２０４)。そして、読み取りコントローラ２４１は、開閉センサ２２１による検知結果に基づいてプラテンカバー２２０が完全に閉じられたか否かを判断する(ステップ２０５)。ここで、プラテンカバー２２０が完全に閉じられていない場合は、ステップ２０３に戻って赤外画像読み取りおよび原稿幅読み取りを続行する。一方、ステップ２０５においてプラテンカバー２２０が完全に閉じられたと判断した場合、読み取りコントローラ２４１は、照明コントローラ２４３に制御信号を出力し、照明コントローラ２４３は白色赤外光源２１６を消灯させる(ステップ２０６)。また、読み取りコントローラ２４１は、センサコントローラ２４２に制御信号を出力し、センサコントローラ２４２は赤外エリアセンサ２１４による赤外画像読み取りを終了させ、紙幅検知センサ２１７による原稿幅読み取りを終了させる。
なお、上記ステップ２０３で赤外エリアセンサ２１４にて読み取られた赤外画像データは、赤外画像処理部２６０で所定の処理がなされ、その結果として識別情報の取得および出力が行われる。このようにして、プラテンカバー２２０の閉動作がなされている間に、原稿の赤外画像の読み取りおよび得られた赤外画像データに基づく識別情報の取得が実行されることになる。
また、上記ステップ２０４で紙幅検知センサ２１７にて検知された原稿幅は、読み取りコントローラ２４１に入力される。そして、読み取りコントローラ２４１は、後述する可視画像読み取りにおけるスキャンコントローラ２４４の制御内容(例えばフルレートキャリッジ２０３およびハーフレートキャリッジ２０４の移動量等)を決定する。
【００９９】
次に、読み取りコントローラ２４１は、ＵＩ等を介してユーザによりスタートボタンの押下が実行されたか否かを判断する(ステップ２０７)。ここで、スタートボタンが押下されていないと判断した場合は、スタートボタンの押下を待つ。一方、スタートボタンの押下が実行されたと判断した場合、読み取りコントローラ２４１は、照明コントローラ２４３に制御信号を出力し、照明コントローラ２４３は白色赤外光源２１６を点灯させる(ステップ２０８)。また、読み取りコントローラ２４１は、スキャンコントローラ２４４に制御信号を出力し、スキャンコントローラ２４４はフルレートキャリッジ２０３およびハーフレートキャリッジ２０４によるスキャン動作を開始させる。さらに、読み取りコントローラ２４１は、センサコントローラ２４２に制御信号を出力し、センサコントローラ２４２はＣＣＤイメージセンサ２０８による可視画像読み取りを開始させる(ステップ２０９)。そして、読み取りコントローラ２４１は、フルレートキャリッジ２０３の読み取り部位が原稿の端部に到達したか否か、すなわち、可視画像の読み取りが完了したか否かを判断する(ステップ２１０)。ここで、可視画像の読み取りが完了していない場合は、ステップ２０９に戻って可視画像読み取りを続行する。一方、ステップ２１０において可視画像読み取りが完了したと判断した場合、読み取りコントローラ２４１は、照明コントローラ２４３に制御信号を出力し、照明コントローラ２４３は白色赤外光源２１６を消灯させる(ステップ２１１)。また、読み取りコントローラ２４１は、センサコントローラ２４２に制御信号を出力し、センサコントローラ２４２はＣＣＤイメージセンサ２０８による可視画像読み取りを終了させる。さらに、読み取りコントローラ２４１は、スキャンコントローラ２４４に制御信号を出力し、スキャンコントローラ２４４はフルレートキャリッジ２０３およびハーフレートキャリッジ２０４をホームポジション(図１６(ａ)に実線で示す位置)まで移動させる。以上により、原稿の読み取り動作が終了する。
なお、上記ステップ２０９でＣＣＤイメージセンサ２０８にて読み取られた可視画像データは、可視画像処理部２５０で所定の処理がなされ、その結果として文書画像データの出力が行われる。
【０１００】
以上説明したように、本実施の形態では、原稿に形成される文書画像(可視画像)を、一次元のラインセンサであるＣＣＤイメージセンサ２０８を用いて読み取るとともに、原稿の同じ面に形成されるコード画像(不可視画像、赤外画像)を、二次元のエリアセンサである赤外エリアセンサ２１４を用いて読み取るようにした。これにより、読み取り生産性の低下を抑制しながら、原稿に形成された文書画像及びコード画像をともに読み取ることが可能になる。
ここで、本実施の形態では、白色光および赤外光の両者を照射することのできる白色赤外光源２１６を用いるようにしたので、フルレートキャリッジの小型化および軽量化を図ることができる。
【０１０１】
また、本実施の形態では、プラテンカバー２２０の閉動作に連動して赤外エリアセンサ２１４による赤外画像読み取りおよび紙幅検知センサ２１７による原稿幅の検知を実行させ、その後、ユーザから受け付けた指示に基づいてＣＣＤイメージセンサ２０８による可視画像読み取りを実行させるようにした。ここで、本実施の形態では、白色赤外光源２１６を点灯させることで、赤外光に基づく赤外画像読み取りおよび可視光に基づく原稿幅検知をほぼ同時に実行させることができる。このため、可視画像の読み取り動作に際してユーザの待ち時間を長期化させることがない。
【０１０２】
なお、本実施の形態にかかるスキャナでは、上記ステップ２０３において赤外画像読み取りを実行する際に赤外エリアセンサ２１４に可視光が入射するおそれがあり、また、上記ステップ２０９において赤外画像読み取りを実行する際にＣＣＤイメージセンサ２０８に赤外光が入射するおそれがある。このような場合、各センサによる読み取りデータに誤差が含まれることになりやすいことから、赤外エリアセンサ２１４には可視光を遮断するフィルタを、また、ＣＣＤイメージセンサ２０８には赤外光を遮断するフィルタを、それぞれ装着しておくことが好ましい。
【０１０３】
＜実施の形態７＞
本実施の形態は、実施の形態４とほぼ同様であるが、コード画像(赤外画像)の読み取りを行った結果に基づいて文書画像(可視画像)の読み取りを許可するか否の判断が行われる点が異なる。なお、本実施の形態において、実施の形態４と同様のものについては、同じ符号を付してその詳細な説明を省略する。
【０１０４】
では、図１８に示すフローチャートを参照しつつ、本実施の形態にかかるスキャナを用いた原稿の読み取り動作について説明する。
ユーザがプラテンガラス２０２上に原稿を載置する際に、ユーザによりプラテンカバー２２０が開けられ、プラテンガラス２０２上に原稿がセットされた後、プラテンカバー２２０が閉じられる。このとき、開閉センサ２２１は、プラテンカバー２２０を開状態から閉状態に移行するのを検知する(ステップ３０１)。なお、開閉センサ２２１にて開状態から閉状態への移行が検知されない場合は、ステップ３０１に戻って検知を待つ。すると、読み取りコントローラ２４１は、照明コントローラ２４３に制御信号を出力し、照明コントローラ２４３は赤外ＬＥＤ２１１を点灯させる(ステップ３０２)。また、読み取りコントローラ２４１は、センサコントローラ２４２に制御信号を出力し、センサコントローラ２４２は赤外エリアセンサ２１４による赤外画像読み取りを実行させる(ステップ３０３)。そして、読み取りコントローラ２４１は、開閉センサ２２１による検知結果に基づいてプラテンカバー２２０が完全に閉じられたか否かを判断する(ステップ３０４)。ここで、プラテンカバー２２０が完全に閉じられていない場合は、ステップ３０３に戻って赤外画像読み取りを続行する。一方、ステップ３０４においてプラテンカバー２２０が完全に閉じられたと判断した場合、読み取りコントローラ２４１は、照明コントローラ２４３に制御信号を出力し、照明コントローラ２４３は赤外ＬＥＤ２１１を消灯させる(ステップ３０５)。また、読み取りコントローラ２４１は、センサコントローラ２４２に制御信号を出力し、センサコントローラ２４２は赤外エリアセンサ２１４による赤外画像読み取りを終了させる。
【０１０５】
なお、上記ステップ３０３で赤外エリアセンサ２１４にて読み取られた赤外画像データは、赤外画像処理部２６０で所定の処理(赤外画像処理)がなされ(ステップ３０６)、その結果として識別情報の取得および出力が行われる。このようにして、プラテンカバー２２０の閉動作がなされている間に、原稿の赤外画像の読み取りおよび得られた赤外画像データに基づく識別情報の取得が実行されることになる。そして、取得された識別情報は、図示しないホストシステムに送信される(ステップ３０７)。なお、ホストシステムは、送信されてきた識別情報に基づいて、この原稿に対する画像読み取りが許可されているか否かを判断する。
【０１０６】
次に、読み取りコントローラ２４１は、ＵＩ等を介してユーザによりスタートボタンの押下が実行されたか否かを判断する(ステップ３０８)。ここで、スタートボタンが押下されていないと判断した場合は、スタートボタンの押下を待つ。一方、スタートボタンの押下が実行されたと判断した場合、読み取りコントローラ２４１はホストシステムからの受信信号を待つ(ステップ３０９)。なお、この二つの動作は同時に実行されていてもかまわない。スタートボタンの押下とホストシステムからの受信信号がともにＹｅｓであった場合、読み取りコントローラ２４１は、照明コントローラ２４３に制御信号を出力し、照明コントローラ２４３は照明ランプ２０５を点灯させる(ステップ３１０)。ここで、本実施の形態においては信号の受信の有無で判断したが、これは受信の有無だけでなく特定の形態の信号を受け取った場合でもかまわない。
【０１０７】
また、読み取りコントローラ２４１は、スキャンコントローラ２４４に制御信号を出力し、スキャンコントローラ２４４はフルレートキャリッジ２０３およびハーフレートキャリッジ２０４によるスキャン動作を開始させる。さらに、読み取りコントローラ２４１は、センサコントローラ２４２に制御信号を出力し、センサコントローラ２４２はＣＣＤイメージセンサ２０８による可視画像読み取りを開始させる(ステップ３１１)。そして、読み取りコントローラ２４１は、フルレートキャリッジ２０３の読み取り部位が原稿の端部に到達したか否か、すなわち、可視画像の読み取りが完了したか否かを判断する(ステップ３１２)。ここで、可視画像の読み取りが完了していない場合は、ステップ３１１に戻って可視画像読み取りを続行する。一方、ステップ３１２において可視画像読み取りが完了したと判断した場合、読み取りコントローラ２４１は、照明コントローラ２４３に制御信号を出力し、照明コントローラ２４３は照明ランプ２０５を消灯させる(ステップ３１３)。また、読み取りコントローラ２４１は、センサコントローラ２４２に制御信号を出力し、センサコントローラ２４２はＣＣＤイメージセンサ２０８による可視画像読み取りを終了させる。さらに、読み取りコントローラ２４１は、スキャンコントローラ２４４に制御信号を出力し、スキャンコントローラ２４４はフルレートキャリッジ２０３およびハーフレートキャリッジ２０４をホームポジション(図１１(ａ)に実線で示す位置)まで移動させる。以上により、原稿の読み取り動作が終了する。
なお、上記ステップ３１１でＣＣＤイメージセンサ２０８にて読み取られた可視画像データは、可視画像処理部２５０で所定の処理がなされ、その結果として文書画像データの出力が行われる。
【０１０８】
以上説明したように、本実施の形態では、原稿に形成される文書画像(可視画像)を、一次元のラインセンサであるＣＣＤイメージセンサ２０８を用いて読み取るとともに、原稿の同じ面に形成されるコード画像(不可視画像、赤外画像)を、二次元のエリアセンサである赤外エリアセンサ２１４を用いて読み取るようにした。これにより、実施の形態４と同様に、読み取り生産性の低下を抑制しながら、原稿に形成された文書画像及びコード画像をともに読み取ることが可能になる。
【０１０９】
特に、本実施の形態では、プラテンカバー２２０の閉動作に連動して先に赤外エリアセンサ２１４を用いた赤外画像読み取りを実行させ、その後、ホストシステムからの信号とユーザから受け付けた指示に基づいてＣＣＤイメージセンサ２０８による可視画像読み取りを実行させるようにした。このため、ホストシステムからの信号なしに可視画像の読み取り動作が開始されることはなく、必要以上に可視画像の取り込みを行わない。したがって、例えば複写が禁止される重要書類が原稿として用いられた場合に、その読み取りを禁止することができる。
【図面の簡単な説明】
【０１１０】
【図１】実施の形態１が適用されたスキャナの構成例を示す図である。
【図２】読み取り装置に設けられるＣＣＤイメージセンサの概略構成を示す図である。
【図３】フルレートキャリッジに設けられるＣＩＳ(Contact Image Sensor)の概略構成を示す図である。
【図４】制御・画像処理ユニットの機能ブロックを示す図である。
【図５】(ａ)は可視画像処理部の機能ブロックを、(ｂ)は赤外画像処理部の機能ブロックを、それぞれ示す図である。
【図６】(ａ)〜(ｃ)は不可視画像を構成する二次元コード画像を説明するための図である。
【図７】実施の形態２が適用されたスキャナの構成例を示す図である。
【図８】実施の形態３が適用されたスキャナの構成例を示す図である。
【図９】原稿送り装置に設けられる赤外ＣＩＳおよび可視ＣＩＳの概略構成を示す図である。
【図１０】実施の形態３で用いられる制御・画像処理ユニットの機能ブロックを示す図である。
【図１１】実施の形態４が適用されたスキャナの構成例を示す図である。
【図１２】実施の形態４で用いられる制御・画像処理ユニットの機能ブロックを示す図である。
【図１３】実施の形態４にかかるスキャナを用いた原稿の読み取り動作を説明するためのフローチャートである。
【図１４】実施の形態４が適用されたスキャナの変形例を示す図である。
【図１５】実施の形態５が適用されたスキャナの構成例を示す図である。
【図１６】実施の形態６が適用されたスキャナの構成例を示す図である。
【図１７】実施の形態６にかかるスキャナを用いた原稿の読み取り動作を説明するためのフローチャートである。
【図１８】実施の７にかかるスキャナを用いた原稿の読み取り動作を説明するためのフローチャートである。
【符号の説明】
【０１１１】
１０…原稿送り装置、３０…読み取り装置、３３…フルレートキャリッジ、３４…ハーフレートキャリッジ、３５…照明ランプ、３８…ＣＣＤ(Charge Coupled Device)イメージセンサ、４０…ＣＩＳ(Contact Image Sensor)、４３…赤外ＬＥＤアレイ、４５…ラインセンサ、５０…制御・画像処理ユニット、５１…信号処理部、５２…制御部、７０…可視画像処理部、７４…画像処理部、８０…赤外画像処理部、８４…２値化処理部、８５…識別情報解析部、１３０…赤外ＣＩＳ、１３３…赤外ＬＥＤアレイ、１３５…赤外ラインセンサ、１４０…可視ＣＩＳ、１４３…白色ＬＥＤアレイ、１４５…可視ラインセンサ、２００…読み取り装置、２０２…プラテンガラス、２０２ａ…レジ基準位置、２０３…フルレートキャリッジ、２０４…ハーフレートキャリッジ、２０８…ＣＣＤイメージセンサ、２１０…赤外画像読み取り部、２１１…赤外ＬＥＤ、２１２…結像用レンズ、２１３…赤外センサ部、２１４…赤外エリアセンサ、２２０…プラテンカバー、２２１…開閉センサ
【図１】
2007306047.tif 000003
【図２】
2007306047.tif 000004
【図３】
2007306047.tif 000005
【図４】
2007306047.tif 000006
【図５】
2007306047.tif 000007
【図６】
2007306047.tif 000008
【図７】
2007306047.tif 000009
【図８】
2007306047.tif 000010
【図９】
2007306047.tif 000011
【図１０】
2007306047.tif 000012
【図１１】
2007306047.tif 000013
【図１２】
2007306047.tif 000014
【図１３】
2007306047.tif 000015
【図１４】
2007306047.tif 000016
【図１５】
2007306047.tif 000017
【図１６】
2007306047.tif 000018
【図１７】
2007306047.tif 000019
【図１８】
2007306047.tif 000020